(57)【要約】【課題】気液分離器の水分を排出するドレン弁を適切に制御する燃料電池システムを提供する。【解決手段】水素、空気が供給されることで発電する燃料電池スタック１０と、アノード流路１２から排出されたアノードオフガスを、燃料電池スタック１０の上流に戻し、水素を循環させる水素循環ラインと、水素循環ラインに設けられ、アノードオフガスに含まれる水分を分離し、分離した水分を貯溜する気液分離器２３と、気液分離器２３に貯溜された水分を排出するドレン弁２４と、ドレン弁２４の下流に設けられ、水素濃度を検出する水素センサ３３と、水素センサ３３が検出した水素濃度に基づいて、ドレン弁２４を介して水素が排出されたと判定された場合、所定時間、ドレン弁２４の開弁を禁止するＥＣＵ５０と、を備える燃料電池システム１である。【選択図】図１
2010080434.tif 000002
【特許請求の範囲】
【請求項１】
燃料ガス流路及び酸化剤ガス流路を有し、前記燃料ガス流路に燃料ガスが、前記酸化剤ガス流路に酸化剤ガスが、それぞれ供給されることで発電する燃料電池と、
前記燃料ガス流路から排出された燃料オフガスを、前記燃料電池の上流に戻し、燃料ガスを循環させる燃料ガス循環ラインと、
前記燃料ガス循環ラインに設けられ、前記燃料オフガスに含まれる水分を分離し、分離した水分を貯溜する気液分離器と、
前記気液分離器に貯溜された水分を排出するドレン弁と、
前記ドレン弁の下流に設けられ、燃料ガス濃度を検出する燃料ガスセンサと、
前記燃料ガスセンサが検出した燃料ガス濃度に基づいて、前記ドレン弁を介して燃料ガスが排出されたか否か判定する燃料ガス排出判定手段と、
前記燃料ガス排出判定手段が前記ドレン弁を介して燃料ガスが排出されたと判定した場合、所定時間、前記ドレン弁の開弁を禁止するドレン弁制御手段と、
を備える
ことを特徴とする燃料電池システム。
【請求項２】
前記所定時間は、前記気液分離器に所定量の水分が貯溜される時間である
ことを特徴とする請求項１に記載の燃料電池システム。
【請求項３】
前記所定時間は、前記ドレン弁の開弁の禁止中における、前記燃料電池の出力電流を積算した積算電流値と、前記燃料電池の温度と、に基づいて算出される
ことを特徴とする請求項１又は請求項２に記載の燃料電池システム。
【請求項４】
前記燃料電池の出力が所定出力以上である場合、前記燃料ガス排出判定手段は、前記ドレン弁を介して燃料ガスが排出されたか否か判定しない
ことを特徴とする請求項１から請求項３のいずれか１項に記載の燃料電池システム。
【請求項５】
前記酸化剤ガス流路から排出された酸化剤オフガスが通流する酸化剤オフガス流路と、
前記酸化剤オフガス流路を通流する酸化剤オフガスの流量の変化量を算出する変化量算出手段と、
を備え、
前記ドレン弁の下流は前記酸化剤オフガス流路に合流し、
前記燃料ガスセンサは、前記ドレン弁の下流が合流する合流点よりも下流の前記酸化剤オフガス流路に設けられており、
前記変化量算出手段が算出する変化量が所定変化量以上である場合、前記燃料ガス排出判定手段は、前記ドレン弁を介して燃料ガスが排出されたか否か判定しない
ことを特徴とする請求項１から請求項４のいずれか１項に記載の燃料電池システム。
【発明の詳細な説明】
【技術分野】
【０００１】
本発明は、燃料電池システムに関する。
【背景技術】
【０００２】
近年、水素（燃料ガス、反応ガス）がアノードに、酸素を含む空気（酸化剤ガス、反応ガス）がカソードに、それぞれ供給されることで発電する固体高分子型燃料電池（Polymer Electrolyte Fuel Cell：ＰＥＦＣ）等の燃料電池を備える燃料電池システムが着目され、例えば、燃料電池車両に搭載されている。
【０００３】
このような燃料電池が発電すると、そのカソードで水分（水蒸気）が生成され、その一部はアノードに透過するため、燃料電池のアノードから排出されるアノードオフガスは、多湿となる。また、このアノードオフガスには、発電で消費されなかった水素が含まれる。
【０００４】
そこで、水素の利用効率を高めるべく、気液分離器によってアノードオフガスから水分を分離した後、燃料電池の上流に戻して再供給し、水素を循環させる技術が提案されている（特許文献１、２参照）。一方、アノードオフガスから分離された水分は、気液分離器に一時的に貯溜され、気液分離器の下流に設けられたドレン弁が開弁されると外部に排出される。
【先行技術文献】
【特許文献】
【０００５】
【特許文献１】特開２００７−２６５６７６号公報
【特許文献２】特開２００４−１７８８４５号公報
【発明の概要】
【発明が解決しようとする課題】
【０００６】
ここで、前記した気液分離器は、例えば、燃料電池システムが車両等に搭載される場合、その小型化が要求される。ところが、気液分離器を小型化すると、その内部に貯溜可能な水分量が少なくなり、分離された水分が気液分離器をオーバーフローし、オーバーフローした水分が燃料電池に導入され、燃料電池の発電性能を低下させる虞がある。
【０００７】
一方、このオーバーフローを防止するため、気液分離器の水分を排出するドレン弁の開度を大きくしたり、ドレン弁の開弁時間を長くする等によって、気液分離器からの水分の排出量を増加させると、本来循環させるべき水素もドレン弁から排出されてしまい、外部に排出されるガス中の水素濃度が急上昇すると共に、水素の利用効率（燃料電池の発電効率）が低下する虞がある。
【０００８】
そこで、本発明は、気液分離器の水分を排出するドレン弁を適切に制御する燃料電池システムを提供することを課題とする。
【課題を解決するための手段】
【０００９】
前記課題を解決するための手段として、本発明は、燃料ガス流路及び酸化剤ガス流路を有し、前記燃料ガス流路に燃料ガスが、前記酸化剤ガス流路に酸化剤ガスが、それぞれ供給されることで発電する燃料電池と、前記燃料ガス流路から排出された燃料オフガスを、前記燃料電池の上流に戻し、燃料ガスを循環させる燃料ガス循環ラインと、前記燃料ガス循環ラインに設けられ、前記燃料オフガスに含まれる水分を分離し、分離した水分を貯溜する気液分離器と、前記気液分離器に貯溜された水分を排出するドレン弁と、前記ドレン弁の下流に設けられ、燃料ガス濃度を検出する燃料ガスセンサと、前記燃料ガスセンサが検出した燃料ガス濃度に基づいて、前記ドレン弁を介して燃料ガスが排出されたか否か判定する燃料ガス排出判定手段と、前記燃料ガス排出判定手段が前記ドレン弁を介して燃料ガスが排出されたと判定した場合、所定時間、前記ドレン弁の開弁を禁止するドレン弁制御手段と、を備えることを特徴とする燃料電池システムである。
【００１０】
このような燃料電池システムによれば、気液分離器を小型化すると共に、オーバーフローを防止するべく、ドレン弁による気液分離器からの水分の排出量を増加させる制御を実行する構成としても、燃料ガス排出判定手段が、燃料ガスセンサの検出する燃料ガス濃度に基づいて、ドレン弁を介して燃料ガスが排出されたと判定した場合、ドレン弁制御手段が、所定時間、ドレン弁の開弁を禁止する。
なお、ドレン弁を介して燃料ガスが排出されることは、気液分離器で分離された水分がその内部に貯溜されていない状態で、ドレン弁が開弁するために生じる。
【００１１】
そして、このように燃料ガスが排出されたと判定された場合、ドレン弁制御手段が、所定時間、ドレン弁の開弁を禁止するので、この後、ドレン弁が開弁されることはなく、本来循環するべき燃料ガスが、ドレン弁を介して、外部に排出されることはなくなる。
また、ドレン弁の開弁を所定時間禁止するので、この所定時間において、分離された水分を気液分離器に貯溜することができ、その後、通常制御に戻り、ドレン弁が開弁されたとしても、循環すべき燃料ガスが再びドレン弁を介して排出されにくくなる。
【００１２】
また、前記所定時間は、前記気液分離器に所定量の水分が貯溜される時間であることを特徴とする燃料電池システムである。
【００１３】
このような燃料電池システムによれば、気液分離器に所定量の水分が貯溜されるまで、ドレン弁の開弁を確実に禁止できる。
【００１４】
また、前記所定時間は、前記ドレン弁の開弁の禁止中における、前記燃料電池の出力電流を積算した積算電流値と、前記燃料電池の温度と、に基づいて算出されることを特徴とする燃料電池システムである。
【００１５】
このような燃料電池システムによれば、ドレン弁の開弁の禁止中における、燃料電池の出力電流を積算した積算電流値と、燃料電池の温度と、に基づいて算出された所定時間の間、ドレン弁の開弁を確実に禁止できる。
【００１６】
また、前記燃料電池の出力が所定出力以上である場合、前記燃料ガス排出判定手段は、前記ドレン弁を介して燃料ガスが排出されたか否か判定しないことを特徴とする燃料電池システムである。
【００１７】
ここで、燃料電池の出力（出力電流（Ａ）、電力（Ｗ）等）が高くなると、カソードで生成する水分（水蒸気）が増加する。そして、カソードで生成する水分が増加すると、カソードからアノードに透過する水分も増加し、燃料オフガスに含まれる水分も増加する。
燃料オフガスに含まれる水分が増加すると、燃料オフガスから分離され、気液分離器に貯溜される水分の量も増加する。すなわち、気液分離器内の水分の量が０となりにくく、つまり、空となりにくくなり、ドレン弁を介して燃料ガスが排出されにくくなる。
【００１８】
そこで、このような燃料電池システムによれば、燃料電池の出力が所定出力以上であり、気液分離器に水分が溜まっており、ドレン弁を介して燃料ガスが排出されないと判断される場合、燃料ガス排出判定手段が、ドレン弁を介して燃料ガスが排出されたか否か判定しない。すなわち、燃料ガス排出判定手段が、不必要に判定処理を実行しないので、制御処理（制御用のプログラム）を簡易としつつ、判定処理を適切に実行できる。
【００１９】
また、前記酸化剤ガス流路から排出された酸化剤オフガスが通流する酸化剤オフガス流路と、前記酸化剤オフガス流路を通流する酸化剤オフガスの流量の変化量を算出する変化量算出手段と、を備え、前記ドレン弁の下流は前記酸化剤オフガス流路に合流し、前記燃料ガスセンサは、前記ドレン弁の下流が合流する合流点よりも下流の前記酸化剤オフガス流路に設けられており、前記変化量算出手段が検出する変化量が所定変化量以上である場合、前記燃料ガス排出判定手段は、前記ドレン弁を介して燃料ガスが排出されたか否か判定しないことを特徴とする燃料電池システムである。
【００２０】
このような燃料電池システムによれば、ドレン弁の下流は、酸化剤オフガス流路に合流しているので、ドレン弁を介して排出された燃料ガスは、酸化剤オフガス流路を通流する酸化剤オフガスで希釈され、燃料ガス濃度は低下する。
また、燃料ガスセンサは、ドレン弁の下流が合流する合流点よりも下流の酸化剤オフガス流路に設けられているので、希釈によって、低下した後の燃料ガス濃度を検出することになる。
【００２１】
ここで、一般に、燃料電池に対しての発電要求量が大きくなると、燃料電池に向かう酸化剤ガスの流量が増加する関係にあるから、酸化剤オフガスの流量も増加する関係にある。逆に、燃料電池に対しての発電要求量が小さくなると、酸化剤オフガスの流量は減少する関係にある。
このように、ドレン弁からの燃料ガスの希釈用ガスである酸化剤オフガスの流量が、増加／減少、つまり、変化（変動）するから、酸化剤オフガスの流量の変化に伴って、燃料ガスセンサが検出する燃料ガス濃度も大きく変化（変動）してしまい、ドレン弁を介して燃料ガスが排出されたか否かについて誤判定される虞が高くなる。
【００２２】
そこで、このような燃料電池システムによれば、変化量算出手段が算出する変化量が所定変化量以上であり、ドレン弁を介して燃料ガスが排出されたか否かについて誤判定される虞が高いと判断される場合、燃料ガス排出判定手段は、ドレン弁を介して燃料ガスが排出されたか否かについて判定しない。すなわち、燃料ガス排出判定手段が、不必要に判定処理を実行しないので、制御処理（制御用のプログラム）を簡易としつつ、判定処理を適切に実行できる。
【発明の効果】
【００２３】
本発明によれば、気液分離器の水分を排出するドレン弁を適切に制御する燃料電池システムを提供することができる。
【図面の簡単な説明】
【００２４】
【図１】第１実施形態に係る燃料電池システムの構成を示す図である。
【図２】アクセル開度と発電要求量との関係を示すマップ（グラフ）である。
【図３】発電要求量と、コンプレッサ回転速度、カソードオフガス流量との関係を示すマップ（グラフ）である。
【図４】第１実施形態に係る燃料電池システムの動作を示すフローチャートである。
【図５】パージ弁の開弁から所定時間Δｔ２内にドレン弁が開弁した場合において、開弁したドレン弁経由で水素が排出されないケース（空ドレンなし）と、水素が排出されるケース（空ドレンあり）と、を示すタイムチャートである。
【図６】パージ弁の開弁から所定時間Δｔ２経過後にドレン弁が開弁した場合において、開弁したドレン弁経由で水素が排出されないケース（空ドレンなし）と、水素が排出されるケース（空ドレンあり）と、を示すタイムチャートである。
【図７】ドレン弁の開弁から所定時間Δｔ３経過後にパージ弁が開弁した場合において、開弁したドレン弁経由で水素が排出されないケース（空ドレンなし）と、水素が排出されるケース（空ドレンあり）と、を示すタイムチャートである。
【図８】燃料電池スタックの出力電流Ｉ１の積算値（積算電流値）と、燃料電池スタックの温度と、ドレン弁の開弁禁止時間との関係を示すマップ（グラフ）である。
【図９】変形例に係る燃料電池システムの構成を示す図である。
【図１０】第２実施形態に係る燃料電池システムの動作を示すフローチャートである。
【発明を実施するための形態】
【００２５】
≪第１実施形態≫
本発明の第１実施形態について、図１から図９を参照して説明する。
【００２６】
≪燃料電池システムの構成≫
図１に示す第１実施形態に係る燃料電池システム１は、図示しない燃料電池自動車（移動体）に搭載されている。燃料電池システム１は、燃料電池スタック１０と、燃料電池スタック１０のアノードに対して水素（燃料ガス、反応ガス）を給排するアノード系と、燃料電池スタック１０のカソードに対して酸素を含む空気（酸化剤ガス、反応ガス）を給排するカソード系と、燃料電池スタック１０の発電電力を消費する電力消費系と、これらを電子制御するＥＣＵ５０（Electronic Control Unit、電子制御装置）と、を備えている。
【００２７】
＜燃料電池スタック＞
燃料電池スタック１０は、複数（例えば２００〜４００枚）の固体高分子型の単セル１１が積層されることで構成されたスタックであり、複数の単セル１１は電気的に直列で接続されている。単セル１１は、ＭＥＡ（Membrane Electrode Assembly：膜電極接合体）と、これを挟み２枚の導電性を有するアノードセパレータ及びカソードセパレータと、を備えている。
【００２８】
ＭＥＡは、１価の陽イオン交換膜（例えばパーフルオロスルホン酸型）からなる電解質膜（固体高分子膜）と、これを挟むアノード及びカソードとを備えている。アノード及びカソードは、カーボンペーパ等の導電性を有する多孔質体から主に構成されると共に、アノード及びカソードにおける電極反応を生じさせるための触媒（Ｐｔ、Ｒｕ等）を含んでいる。
【００２９】
アノードセパレータには、各ＭＥＡのアノードに対して水素を給排するため単セル１１の積層方向に延びる貫通孔（内部マニホールドと称される）や、単セル１１の面方向に延びる溝が形成されており、これら貫通孔及び溝がアノード流路１２（燃料ガス流路）として機能している。
カソードセパレータには、各ＭＥＡのカソードに対して空気を給排するため単セル１１の積層方向に延びる貫通孔（内部マニホールドと称される）や、単セル１１の面方向に延びる溝が形成されており、これら貫通孔及び溝がカソード流路１３（酸化剤ガス流路）として機能している。
【００３０】
そして、アノード流路１２を介して各アノードに水素が供給されると、式（１）の電極反応が起こり、カソード流路１３を介して各カソードに空気が供給されると、式（２）の電極反応が起こり、各単セル１１で電位差（ＯＣＶ（Open Circuit Voltage）、開回路電圧）が発生するようになっている。次いで、燃料電池スタック１０と走行モータ４１等の外部回路とが電気的に接続され、電流が取り出されると、燃料電池スタック１０が発電するようになっている。
２Ｈ２→４Ｈ＋＋４ｅ−  …（１）
Ｏ２＋４Ｈ＋＋４ｅ−→２Ｈ２Ｏ  …（２）
【００３１】
＜アノード系＞
アノード系は、水素が高圧で封入された水素タンク２１（燃料ガス源）と、エゼクタ２２と、気液分離器２３と、ドレン弁２４と、パージ弁２５と、温度センサ２６とを備えている。
【００３２】
水素タンク２１は、水素が高圧で封入されたタンクであり、配管２１ａ、エゼクタ２２、配管２２ａを介して、アノード流路１２の入口に接続されており、水素タンク２１の水素が配管２１ａ等を介してアノード流路１２に供給されるようになっている。なお、配管２１ａには、ＥＣＵ５０により適宜に開閉される遮断弁や、水素の圧力を所定圧力に減圧する減圧弁（いずれも図示しない）が設けられている。
【００３３】
アノード流路１２の出口は、配管２３ａ、気液分離器２３、配管２３ｂを介して、エゼクタ２２の吸込口に接続されている。そして、アノード流路１２（アノード）から排出された未消費の水素を含むアノードオフガス（燃料オフガス）は、配管２３ａ等を通って、燃料電池スタック１０の上流のエゼクタ２２に戻され、水素が循環するように構成されている。
すなわち、配管２３ａと配管２３ｂとで、水素循環ライン（燃料ガス循環ライン）が構成されており、この水素循環ラインに気液分離器２３が設けられている。
【００３４】
気液分離器２３は、これに導入されるアノードオフガスから、アノードオフガスに含まれる水分（水蒸気、結露水）を分離し、分離した水分を一時的にその内部に貯溜するものである。
気液分離器２３における気液分離方式は、例えば、気液分離器２３内において、アノードオフガスの流路断面積を急に増大させ、その流速を低下させることにより、水素に対して比重の大きい水分を分離する方式を採用できる。その他、低温冷媒が通流する冷却管を備え、この冷却管によりアノードオフガスを冷却し、水蒸気を分離する方式でもよい。
【００３５】
そして、水分が分離されたアノードオフガスは、配管２３ｂを介して、エゼクタ２２に戻され、一方、分離（回収）された水分は、気液分離器２３の底部（タンク部）に一時的に貯溜されるようになっている。
【００３６】
気液分離器２３の底部は、配管２４ａ、常閉型のドレン弁２４、配管２４ｂを介して、後記する希釈器３２に接続されている。ドレン弁２４は、気液分離器２３に貯溜された水分を排出するための弁であり、ＥＣＵ５０（ドレン制御手段）によって開かれると、気液分離器２３の水分（貯溜水）が、配管２４ａ、ドレン弁２４、配管２４ｂを介して、希釈器３２に排出されるようになっている。
なお、ドレン弁２４は、燃料電池スタック１０や、燃料電池スタック１０の発電電力を充電するバッテリ（図示しない）を電源として作動する。この他、パージ弁２５や、後記するコンプレッサ３１も、燃料電池スタック１０等を電源として作動する。
【００３７】
配管２３ｂの途中は、配管２５ａ、常閉型のパージ弁２５、配管２５ｂを介して、希釈器３２に接続されている。パージ弁２５は、燃料電池スタック１０の発電時において、配管２３ａ及び配管２３ｂを循環するアノードオフガス（水素）に含まれる不純物（水蒸気、窒素等）を排出（パージ）する場合、ＥＣＵ５０によって開かれる弁である。
なお、ＥＣＵ５０は、タイマによって定期的にパージ弁２５を開くほか、例えば単セル１１の電圧（セル電圧）が所定セル電圧以下となった場合、不純物を排出する必要があると判定し、パージ弁２５を開く設定となっている。セル電圧は、例えば、単セル１１の電圧を検出する電圧センサ（図示しない）を介して検出される。
【００３８】
温度センサ２６は、燃料電池スタック１０（特にＭＥＡのアノード）の温度を検出するためのセンサである。第１実施形態では、温度センサ２６は、配管２３ａに取り付けられており、配管２３ａを通流するアノードオフガスの温度を、燃料電池スタック１０の温度として検出するようになっている。そして、温度センサ２６は、検出した燃料電池スタック１０の温度を、ＥＣＵ５０に出力するようになっている。
ただし、温度センサ２６の位置はこれに限定されず、例えば、燃料電池スタック１０から排出された冷媒が通流する配管に取り付けられた構成でもよい。
【００３９】
＜カソード系＞
カソード系は、コンプレッサ３１と、希釈器３２（希釈手段）と、水素センサ３３（燃料ガスセンサ）とを備えている。
コンプレッサ３１は、配管３１ａを介してカソード流路１３の入口に接続されており、ＥＣＵ５０からの指令に従って作動すると、酸素を含む空気を取り込み、これをカソード流路１３に供給するようになっている。
【００４０】
配管３１ａと配管３２ａとを跨ぐように、カソード流路１３に向かう空気を加湿する加湿器（図示しない）が設けられている。この加湿器は、水分交換可能な中空糸膜を備えており、この中空糸膜を介して、カソード流路１３に向かう空気と、多湿のカソードオフガスとの間で水分交換するようになっている。
【００４１】
カソード流路１３の出口は、配管３２ａを介して、希釈器３２に接続されており、カソード流路１３（カソード）から排出された多湿のカソードオフガスが、希釈器３２に排出されるようになっている。なお、配管３２ａには、アクセル６１等からの発電要求量に対応して、カソード流路１３における空気の圧力を制御する背圧弁（図示しない）が設けられている。
【００４２】
希釈器３２は、パージ時に配管２５ｂから導入されるアノードオフガス中の水素を、カソードオフガスで希釈するものであり、その内部に希釈空間を備えている。そして、希釈後のガスは配管３２ｂを介して車外（外部）に排出されるようになっている。なお、ドレン弁２４の下流の配管２４ｂも、希釈器３２に接続されている。
【００４３】
水素センサ３３は、水素濃度を検出するセンサであり、配管３２ｂに取り付けられている。すなわち、水素センサ３３は、ドレン弁２４の下流に設けられている。そして、水素センサ３３は、希釈器３２で希釈された後、配管３２ｂを通流するガスの水素濃度Ｃ１を検出し、ＥＣＵ５０に出力するようになっている。
【００４４】
すなわち、第１実施形態において、カソード流路１３（酸化剤ガス流路）から排出されたカソードオフガス（酸化剤オフガス）が通流するカソードオフガス流路（酸化剤オフガス流路）は、配管３２ａと配管３２ｂとを備えて構成されおり、このカソードオフガス流路に希釈器３２が設けられている。
【００４５】
そして、ドレン弁２４の下流の配管２４ｂは、合流点である希釈器３２で、カソードオフガス流路に合流しており、水素センサ３３は希釈器３２（合流点）よりも下流の配管３２ｂ（カソードオフガス流路）に設けられている。
ただし、希釈器３２を備えず、ドレン弁２４及びパージ弁２５の下流が、それぞれ、カソードオフガス流路に合流した構成でもよい。
【００４６】
＜電力消費系＞
電力消費系は、走行モータ４１と、ＶＣＵ４２（Voltage Control Unit、電流制御手段）と、出力検出器４３とを備えている。そして、走行モータ４１は、ＶＣＵ４２、出力検出器４３を介して、燃料電池スタック１０の出力端子（図示しない）に接続されている。
【００４７】
走行モータ４１は、燃料電池自動車の動力源となる外部負荷である。
ＶＣＵ４２は、ＥＣＵ５０から送られる指令電流に従って、燃料電池スタック１０の発電電力（出力電流、出力電圧）を制御（制限）する機器であり、ＤＣ／ＤＣチョッパ、ＤＣ／ＤＣコンバータ等の電子回路を備えている。つまり、ＶＣＵ４２が適宜に制御され、燃料電池スタック１０から電流が取り出されると、燃料電池スタック１０が発電するようになっている。
【００４８】
出力検出器４３は、燃料電池スタック１０の現在の出力電流Ｉ１及び出力電圧を検出する機器であり、電流センサ及び電圧センサを備えており、電流センサ及び電圧センサは、適所に配置されている。そして、出力検出器４３は、現在の出力電流Ｉ１及び出力電圧を、ＥＣＵ５０に出力するようになっている。
【００４９】
アクセル６１は、運転者が燃料電池車を走行させるために踏み込むペダルであり、運転席の足元に配置されている。そして、アクセル６１は、その開度（踏み込み量）をＥＣＵ５０に出力するようになっている。
【００５０】
＜ＥＣＵ＞
ＥＣＵ５０は、燃料電池システム１を電子制御する制御装置であり、ＣＰＵ、ＲＯＭ、ＲＡＭ、各種インタフェイス、電子回路などを含んで構成されている。そして、ＥＣＵ５０は、その内部に記憶されたプログラムに従って、各種機器を適宜に制御するようになっている。
【００５１】
＜ＥＣＵ−発電要求量算出機能＞
ＥＣＵ５０（発電要求量算出手段）は、アクセル６１から入力される現在のアクセル開度と、図２のマップとに基づいて、現在の発電要求量を算出する機能を備えている。図２に示すように、アクセル開度が大きくなると、発電要求量が大きくなる関係となっている。なお、図２のマップは、事前試験等により求められ、ＥＣＵ５０に予め記憶されている。
【００５２】
＜ＥＣＵ−コンプレッサ制御機能＞
ＥＣＵ５０（コンプレッサ制御手段）は、算出した発電要求量と、図３のマップとに基づいて、コンプレッサ３１の回転速度（指令値）を算出し、これに従って、コンプレッサ３１を制御する機能を備えている。図３に示すように、発電要求量が大きくなると、カソードにおいて空気不足とならないように、コンプレッサ３１の回転速度が高くなる関係となっている。なお、図３のマップは、事前試験等により求められ、ＥＣＵ５０に予め記憶されている。
【００５３】
＜ＥＣＵ−ドレン弁制御機能＞
ＥＣＵ５０（ドレン弁制御手段）は、ドレン弁２４及びパージ弁２５を適宜に開弁する機能を備えている。
【００５４】
＜ＥＣＵ−水素排出判定機能＞
ＥＣＵ５０（燃料ガス排出判定手段）は、ドレン弁２４の開弁（閉→開→閉）後、その開弁されたドレン弁２４を経由して、水素が排出されたか否か、つまり、気液分離器２３に水分が貯溜しているか否かを判定する機能を備えている。なお、気液分離器２３に水分が無い状態で、ドレン弁２４が開弁され、ドレン弁２４経由で水素が排出されることを「空ドレン」という。
【００５５】
≪燃料電池システムの動作≫
次に、燃料電池システム１の動作について、図４を参照して説明する。
なお、初期状態において、アクセル６１等からの発電要求量に対応してＶＣＵ４２が制御され、燃料電池スタック１０は発電している。また、パージ弁２５は、例えば、単セル１１の電圧が所定セル電圧以下となった場合、所定時間にて開弁制御されており、ドレン弁２４とは独立で制御されている。さらに、パージ弁２５が開弁されると、水素を含むアノードオフガスが排出されるので、希釈器３２で希釈されるものの、所定時間遅れて、水素センサ３３が検出する水素濃度Ｃ１が上昇する（図５〜図７参照）。
【００５６】
図４に示すように、ステップＳ１０１において、ＥＣＵ５０は、ドレン弁２４の開弁要求があるか否か判定する。ドレン弁２４の開弁要求は、例えば、出力検出器４３から入力される燃料電池スタック１０の出力電流Ｉ１の積算値に基づいて、気液分離器２３内に排出される水分が所定量貯溜していると予測される場合に、発せられる。
【００５７】
ドレン弁２４の開弁要求があると判定した場合（Ｓ１０１・Ｙｅｓ）、ＥＣＵ５０の処理は、ステップＳ１０２に進む。一方、ドレン弁２４の開弁要求はないと判定した場合（Ｓ１０１・Ｎｏ）、ＥＣＵ５０はステップＳ１０１の判定処理を繰り返す。
【００５８】
ステップＳ１０２において、ＥＣＵ５０は、ドレン弁２４を所定時間にて開弁する（閉状態→開状態→閉状態）。所定時間は、事前試験等により予め定められた時間であって、気液分離器２３に貯溜したと予測した水分量が排出されるのに適した時間である。
【００５９】
ステップＳ１０３において、ＥＣＵ５０は、水素センサ３３を介して、ドレン弁２４の開弁後に閉弁した際（閉じた瞬間時、開から閉への切換時）の水素濃度Ｃ１を検出する。
【００６０】
ステップＳ１０４において、ＥＣＵ５０は、内部クロックを利用して、前回パージ、つまり、パージ弁２５を前回開弁した後、ステップＳ１０２でドレン弁２４を今回開弁した時（開いた瞬間時、閉から開への切換時）までの時間Δｔ１を算出する。
【００６１】
ステップＳ１０５において、ＥＣＵ５０は、ステップＳ１０４で算出した時間Δｔ１が、所定時間Δｔ２よりも長いか否か判定する。
所定時間Δｔ２は、事前試験等により求められ、図５に示すように、水素がドレン弁２４及びパージ弁２５のいずれ経由で排出されたか判別できない時間に設定されている。すなわち、パージ弁２５の前回開弁からドレン弁２４の今回開弁までの時間Δｔ１が所定時間Δｔ２以下であり、ドレン弁２４を今回開弁した場合において、気液分離器２３に水分が貯溜されておらず、ドレン弁２４を介して水素が排出される空ドレンのとき、水素濃度Ｃ１が上昇することになるが、水素が、ドレン弁２４及びパージ弁２５のいずれを経由して排出されたか判別できない。
【００６２】
時間Δｔ１が所定時間Δｔ２よりも長いと判定した場合（Ｓ１０５・Ｙｅｓ）、ＥＣＵ５０の処理はステップＳ１０６に進む。一方、時間Δｔ１が所定時間Δｔ２よりも長くないと判定した場合（Ｓ１０５・Ｎｏ）、ＥＣＵ５０の処理はステップＳ１１３に進む。
【００６３】
ステップＳ１０６において、ＥＣＵ５０は、水素センサ３３を介して、現在の水素濃度Ｃ１を検出する。
【００６４】
ステップＳ１０７において、ＥＣＵ５０は、ドレン弁２４の閉弁時（閉じた瞬間時）における水素濃度Ｃ１（Ｓ１０３）と、現在における水素濃度Ｃ１（Ｓ１０６）との差である水素濃度変化量ΔＣ１を算出する。
【００６５】
ステップＳ１０８において、ＥＣＵ５０は、ステップＳ１０７で算出した水素濃度変化量ΔＣ１が、所定水素濃度変化量ΔＣ２以上であるか否か判定する。
所定水素濃度変化量ΔＣ２は、事前試験等により求められ、今回（現在）の水素濃度変化量ΔＣ１が所定水素濃度変化量ΔＣ２以上であれば、図６に示すように、今回開弁されたドレン弁２４を介して水素が排出され、この後、ドレン弁２４の開弁を禁止すべきと判断される変化量に設定されている。
【００６６】
水素濃度変化量ΔＣ１が所定水素濃度変化量ΔＣ２以上であると判定した場合（Ｓ１０８・Ｙｅｓ）、ＥＣＵ５０の処理はステップＳ１０９に進む。一方、水素濃度変化量ΔＣ１が所定水素濃度変化量ΔＣ２以上でない場合（Ｓ１０８・Ｎｏ）、ＥＣＵ５０の処理はステップＳ１１３に進む。
【００６７】
ステップＳ１０９において、ＥＣＵ５０は、ステップＳ１０２でドレン弁２４を開弁し、かつ、この開弁後の所定時間Δｔ３内にパージ弁２５が開弁したか否か判定する。
所定時間Δｔ３は、事前試験等により求められ、ドレン弁２４の開弁後、所定時間Δｔ３内にパージ弁２５が開弁していた場合、このパージ弁２５の開弁後、水素濃度Ｃ１が上昇するので、今回開弁したドレン弁２４経由で水素が排出されたか否か判断できない時間に設定されている（図７参照）。なお、図７では、所定時間Δｔ３の経過後にパージ弁２５が開弁した場合を記載している。
【００６８】
所定時間Δｔ３内にパージ弁２５は開弁したと判定した場合（Ｓ１０９・Ｙｅｓ）、ＥＣＵ５０の処理はステップＳ１１３に進む。一方、所定時間Δｔ３内にパージ弁２５は開弁していないと判定した場合（Ｓ１０９・Ｎｏ）、ＥＣＵ５０の処理はステップＳ１１０に進む。
【００６９】
ステップＳ１１０において、ＥＣＵ５０は、ドレン弁２４の開弁を禁止する。具体的には、ＥＣＵ５０は、ドレン弁２４が開弁禁止であることを記憶するべく、これに対応するフラグを立て（図６、図７参照）、ドレン弁２４の開弁要求があったとしても、ドレン弁２４を開弁しない。
【００７０】
ステップＳ１１１において、ＥＣＵ５０は、気液分離器２３に所定量の水分が貯溜するまでの時間（所定時間）、つまり、ドレン弁２４の開弁禁止時間を算出する。なお、前記所定量は、その後、ドレン弁２４を開弁しても、開弁するドレン弁２４を介して水素（アノードオフガス）が排出されない量に設定されている。
【００７１】
具体的には、ＥＣＵ５０は、ステップＳ１１０におけるドレン弁２４の開弁の禁止から現在において、出力検出器４３から入力される燃料電池スタック１０の出力電流Ｉ１の積算値と、温度センサ２６から入力される燃料電池スタック１０の温度と、図８のマップとに基づいて、ドレン弁２４の開弁禁止時間を算出する。
【００７２】
図８のマップは、事前試験等により求められ、ＥＣＵ５０に予め記憶されており、積算電流値が大きく、燃料電池スタック１０（特にアノード）の温度が高くなると、開弁禁止時間が短くなる傾向を有している。これは、積算電流値が大きく、燃料電池スタック１０の温度が高くなると、アノード／カソードにおける電極反応が良好に進み、燃料電池スタック１０で生成する水分が増加し、気液分離器２３に水分が貯溜されやすくなるからである。
【００７３】
ステップＳ１１２において、ＥＣＵ５０は、ステップＳ１１１で算出したドレン弁２４の開弁禁止時間が経過したか否か判定する。
開弁禁止時間が経過したと判定した場合（Ｓ１１２・Ｙｅｓ）、ＥＣＵ５０の処理は、ステップＳ１１３に進む。一方、開弁禁止時間が経過していないと判定した場合（Ｓ１１２・Ｎｏ）、ＥＣＵ５０の処理は、ステップＳ１１１に進む。
【００７４】
ステップＳ１１３において、ＥＣＵ５０は、ドレン弁２４が開弁許可されていると判断する。なお、ドレン弁２４の開弁を禁止するフラグが立っている場合、このフラグをリセットする。
その後、ＥＣＵ５０の処理は、リターンを通って、スタートに戻る。
【００７５】
≪燃料電池システムの効果≫
このような燃料電池システム１によれば、次の効果を得る。
今回開弁したドレン弁２４を介して水素が排出されたと判定された場合（Ｓ１０５・Ｙｅｓ、Ｓ１０８・Ｙｅｓ、Ｓ１０９・Ｎｏ）、ドレン弁２４の開弁を禁止するので（Ｓ１１０）、この後、ドレン弁２４を介して水素が排出されることを防止できる。
【００７６】
ドレン弁２４の開弁禁止時間は、燃料電池スタック１０の積算電流値等に基づいて、気液分離器２３に所定量の水分が貯溜するまでの時間に設定するので（Ｓ１１１）、適切な時間に設定できる。これにより、気液分離器２３がオーバーフローすることはなく、オーバーフローした水分が、配管２３ｂを通ってアノード流路１２に供給され、燃料電池スタック１０の発電性能が低下するということもない。
【００７７】
このようにして、ドレン弁２４を介して水素が排出され続けないように、ドレン弁２４を適切に制御できるので、ドレン弁２４の開弁時間を長くしたり、開弁インターバル（閉弁時間）を短くするともできる。これにより、気液分離器２３を小型化することもでき、システム構成を簡便にすると共に、燃料電池自動車等に容易に搭載できる。
【００７８】
以上、本発明の一実施形態について説明したが、本発明は前記実施形態に限定されず、本発明の趣旨を逸脱しない範囲で、例えば次のように変更、また、後記する実施形態と組み合わせることができる。
【００７９】
前記した実施形態では、ステップＳ１１１でドレン弁２４の開弁禁止時間を算出し、この開弁禁止時間が経過するまで（Ｓ１１２・Ｙｅｓ）、ドレン弁２４の開弁を許可しない構成としたが（Ｓ１１３）、この他に例えば、ドレン弁２４の開弁禁止時間を予め定められた固定時間（所定時間）とする構成でもよい。
【００８０】
前記した実施形態では、水素センサ３３が、希釈器３２の下流に設けられた構成としたが、その他に例えば、図９に示すように、水素センサ３４がドレン弁２４と希釈器３２との間の配管２４ｂにさらに取り付けられた構成でもよい。このような構成によれば、水素センサ３４が水素を検出する場合、水素がドレン弁２４を介して排出されたことになるので、ドレン弁２４の開弁前後において、パージ弁２５が開弁されたか否かを考慮せずに、ドレン弁２４を介して水素が排出されたか否か判定できる。
【００８１】
前記した実施形態では、燃料電池自動車に搭載された燃料電池システム１に、本発明を適用した場合を例示したが、その他に例えば、自動二輪車、列車、船舶に搭載された燃料電池システム、家庭用や業務用の据え置き型の燃料電池システムや、給湯システムに組み込まれた燃料電池システムに適用してもよい。
【００８２】
≪第２実施形態≫
次に、本発明の第２実施形態について、図１０を参照して説明する。
なお、第２実施形態では、ＥＣＵ５０に設定されたプログラムが一部異なり、その動作が一部異なる。以下、異なる部分を説明する。
【００８３】
＜ＥＣＵ−カソードオフガス流量の変化量算出機能＞
第２実施形態に係るＥＣＵ５０は、希釈器３２に向かうカソードオフガスの流量Ｑ（Ｌ／ｓ）の変化量を算出する機能を備えている。
具体的には、発電要求量が大きくなると、コンプレッサ３１からカソード流路１３に向かう空気の流量、カソードオフガスの流量は多くなるから、ＥＣＵ５０は、発電要求量に基づいて、カソードオフガスの流量を算出するようになっている（図３参照）。なお、第２実施形態では、所定時間（例えば１０ｍｓ）経過毎、流量Ｑ（Ｌ／ｓ）を算出するように設定されている。
そして、ＥＣＵ５０（変化量算出手段）は、希釈器３２に向かうカソードオフガスの流量Ｑ（Ｌ／ｓ）の変化量ΔＱ（今回流量Ｑ１−前回流量Ｑ２）を算出するように設定されている。
【００８４】
次に、第２実施形態に係る燃料電池システム１の動作を説明する。
ステップＳ１０２の次に進むステップＳ２０１において、ＥＣＵ５０は、出力検出器４３から入力される現在の出力電流Ｉ１が、所定出力電流Ｉ２以上であるか否か判定する。所定出力電流Ｉ２は、現在の出力電流Ｉ１がこれ以上であれば、気液分離器２３に水分が貯溜しており、ドレン弁２４が開かれたとしても、水素がドレン弁２４を介して排出されないと判断される値に設定されている。
【００８５】
現在の出力電流Ｉ１が所定出力電流Ｉ２以上であり、気液分離器２３に水分が貯溜しており、ドレン弁２４を介して水素が排出されない（空ドレンとなることはない）と判断した場合（Ｓ２０１・Ｙｅｓ）、ＥＣＵ５０の処理はステップＳ１１３に進む。
一方、現在の出力電流Ｉ１が所定出力電流Ｉ２以上でなく、気液分離器２３に水分が貯溜してなく、ドレン弁２４を介して水素が排出される虞がある（空ドレンとなる）と判断した場合（Ｓ２０１・Ｎｏ）、ＥＣＵ５０の処理はステップＳ２０２に進む。
【００８６】
ステップＳ２０２において、ＥＣＵ５０は、カソードオフガスの流量Ｑ（Ｌ／ｓ）の変化量ΔＱの絶対値が、所定変化量ΔＱ０以上であるか否か判定する。所定変化量ΔＱ０は、今回のカソードオフガスの流量の変化量ΔＱの絶対値がこれ以上であれば、希釈用のカソードオフガスの流量が大きく変動しており、水素センサ３３が検出する水素濃度Ｃ１に基づいて、ドレン弁２４を介して水素が排出されたか否かについての判定が困難と判断される値に設定される。
なお、希釈器３２に向かうカソードオフガスの流量Ｑ（Ｌ／ｓ）は、前記したように発電要求量に基づいて算出される（図３参照）。
【００８７】
変化量ΔＱの絶対値が所定変化量ΔＱ０以上であり、水素濃度Ｃ１に基づく判定は困難であると判断した場合（Ｓ２０２・Ｙｅｓ）、ＥＣＵ５０の処理はステップＳ１１３に進む。
一方、変化量ΔＱの絶対値が所定変化量ΔＱ０以上でなく、水素濃度Ｃ１に基づく判定は困難でないと判断した場合（Ｓ２０２・Ｎｏ）、ＥＣＵ５０の処理はステップＳ１０３に進む。
【００８８】
このような第２実施形態によれば、次の効果を得る。
現在の出力電流Ｉ１が所定出力電流Ｉ２以上であり、気液分離器２３に水分が適量貯留しており、ドレン弁２４を介して水素が排出されないと判断する場合（Ｓ２０１・Ｙｅｓ）、ドレン弁２４を介して水素が排出されたか否かに関する処理（Ｓ１０３〜Ｓ１１２）を実行しないので、制御処理を簡単にできる。
【００８９】
すなわち、燃料電池スタック１０の発電量（出力電流Ｉ１）が所定値以上である場合、カソードで生成する水分は多く、そして、アノードに透過し、アノードオフガスに含まれる水分も多く、気液分離器２３で分離され、捕水される水分も多いと判断される。そして、このように判断される場合、ドレン弁２４を開いたとしても、このドレン弁２４を通って水素が排出される可能性は低い、つまり、空ドレン（空打ち）される可能性は低いので、ステップＳ１０３〜Ｓ１１２の処理を不必要に実行することもない。
また、気液分離器２３に水位センサを設けず、出力電流Ｉ１に基づいて貯溜しているか否か判断するので、気液分離器２３を小型化・軽量化すると共に、部品点数を削減できる。
【００９０】
カソードオフガスの流量Ｑ（Ｌ／ｓ）の変化量ΔＱの絶対値が所定変化量ΔＱ０以上であり、水素濃度Ｃ１に基づく判定は困難であると判断する場合（Ｓ２０２・Ｙｅｓ）、ドレン弁２４を介して水素が排出されたか否かに関する処理（Ｓ１０３〜Ｓ１１２）を実行しないので、誤判定を防止しつつ、制御処理を簡単にできる。
【００９１】
以上、本発明の第２実施形態について説明したが、例えば次のように変更できる。
前記した第２実施形態において、例えば、ステップＳ２０１とステップＳ２０２との間で、カソードオフガスの流量Ｑ（Ｌ／ｓ）が所定流量Ｑ３以上である場合（Ｙｅｓ）、仮にドレン弁２４を介して水素が排出された場合（空打ちされた場合）において水素センサ３３で検出される水素濃度Ｃ１の変化量（上昇量、減少量）が小さく、ドレン弁２４を通って水素が排出されたか否かについて判定しにくく、つまり、誤判定する虞があると判断し、この判定処理（ステップＳ１０３〜Ｓ１１２）を実行せず、ステップＳ１１３に進む構成としてもよい。
【００９２】
前記した第２実施形態では、現在の出力電流Ｉ１に基づいて、気液分離器２３に水分が貯溜しているか否か、ドレン弁２４を介して水素が排出されるか否かについて判定したが、その他に例えば、現在の出力電力（Ｗ）や、出力電圧（Ｖ）に基づいて判定する構成としてもよい。
【００９３】
前記した第２実施形態では、アクセル開度から求められた発電要求量に基づいてカソードオフガスの流量Ｑ（Ｌ／ｓ）を算出するとしたが、その他に例えば、アクセル開度に基づいてカソードオフガスの流量Ｑを直接算出する構成としてもよいし、配管３２ａに流量センサを設け、この流量センサでカソードオフガスの流量Ｑを直接検出する構成としてもよい。
【符号の説明】
【００９４】
１      燃料電池システム
１０    燃料電池スタック（燃料電池）
１１    単セル（燃料電池）
１２    アノード流路（燃料ガス流路）
１３    カソード流路（酸化剤ガス流路）
２３    気液分離器
２３ａ、２３ｂ  配管（燃料ガス（水素）循環ライン）
２４    ドレン弁
３２ａ、３２ｂ  配管（酸化剤オフガス流路）
３３    水素センサ（燃料ガスセンサ）
５０    ＥＣＵ（燃料ガス排出判定手段、ドレン弁制御手段、変化量算出手段）
【図１】
2010080434.tif 000003
【図２】
2010080434.tif 000004
【図３】
2010080434.tif 000005
【図４】
2010080434.tif 000006
【図５】
2010080434.tif 000007
【図６】
2010080434.tif 000008
【図７】
2010080434.tif 000009
【図８】
2010080434.tif 000010
【図９】
2010080434.tif 000011
【図１０】
2010080434.tif 000012